【手続補正書】
【提出日】平成16年9月17日(2004.9.17)
【手続補正１】
【補正対象書類名】明細書
【補正対象項目名】発明の名称
【補正方法】変更
【補正の内容】
【発明の名称】液晶表示装置、液晶表示装置の駆動方法、ディスプレイ、プロジェクター、ゴーグル型ディスプレイ、携帯情報端末及びコンピュータ
【手続補正２】
【補正対象書類名】明細書
【補正対象項目名】特許請求の範囲
【補正方法】変更
【補正の内容】
【特許請求の範囲】
【請求項１】
複数の画素ＴＦＴを含むアクティブマトリクス回路と、前記アクティブマトリクス回路を制御するソースドライバ及びゲートドライバとを含むアクティブマトリクス基板と、
対向電極を有する対向基板と、
前記アクティブマトリクス基板と前記対向基板との間に挟まれた液晶と、
第１のデジタルビデオデータを、電圧階調と時間階調で階調表示するための第２のデジタルビデオデータに変換する回路と、
前記第２のデジタルビデオデータをアナログビデオデータに変換する回路とを有することを特徴とする液晶表示装置。
【請求項２】
複数の画素ＴＦＴを含むアクティブマトリクス回路と、前記アクティブマトリクス回路を制御するソースドライバ及びゲートドライバとを含むアクティブマトリクス基板と、
対向電極を有する対向基板と、
前記アクティブマトリクス基板と前記対向基板との間に挟まれた液晶と、
ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、
前記第２のデジタルビデオデータをアナログビデオデータに変換する回路とを有することを特徴とする液晶表示装置。
【請求項３】
複数の画素ＴＦＴを含むアクティブマトリクス回路と、前記アクティブマトリクス回路を制御するソースドライバ及びゲートドライバとを含むアクティブマトリクス基板と、
対向電極を有する対向基板と、
前記アクティブマトリクス基板と前記対向基板との間に挟まれた液晶と、
ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、
前記第２のデジタルビデオデータをアナログビデオデータに変換する回路と、
バックライトとを有し、
前記バックライトにＬＥＤを用いることを特徴とする液晶表示装置。
【請求項４】
複数の画素ＴＦＴを含むアクティブマトリクス回路と、前記アクティブマトリクス回路を制御するソースドライバ及びゲートドライバとを含むアクティブマトリクス基板と、
対向電極を有する対向基板と、
前記アクティブマトリクス基板と前記対向基板との間に挟まれた液晶と、
ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、
前記第２のデジタルビデオデータをアナログビデオデータに変換する回路と、
バックライトとを有し、
前記バックライトにＬＥＤを用いており、
ＯＣＢモードによって表示を行うことを特徴とする液晶表示装置。
【請求項５】
請求項１乃至請求項４のいずれか一項に記載の前記液晶表示装置を用いたディスプレイ。
【請求項６】
請求項５において、前記ディスプレイは対角１０インチ以上であることを特徴とするディスプレイ。
【請求項７】
請求項５において、前記ディスプレイは対角３０インチ以上であることを特徴とするディスプレイ。
【請求項８】
請求項１乃至請求項４のいずれか一項に記載の前記液晶表示装置を用いたプロジェクター。
【請求項９】
請求項１乃至請求項４のいずれか一項に記載の前記液晶表示装置を２個用いたゴーグル型ディスプレイ。
【請求項１０】
請求項１乃至請求項４のいずれか一項に記載の前記液晶表示装置を用いた携帯情報端末。
【請求項１１】
請求項１乃至請求項４のいずれか一項に記載の前記液晶表示装置を用いたコンピュータ。
【請求項１２】
複数の画素ＴＦＴを含むアクティブマトリクス回路と、前記アクティブマトリクス回路を制御するソースドライバ及びゲートドライバと、液晶と、第１のデジタルビデオデータを電圧階調と時間階調で階調表示するための第２のデジタルビデオデータに変換する回路と、前記第２のデジタルビデオデータをアナログビデオデータに変換する回路とを有し、
前記ソースドライバは前記アナログビデオデータを前記アクティブマトリクス回路に供給し、
前記アクティブマトリクス回路は、前記アナログビデオデータに基づき、複数のサブフレームによって１フレームの画像を形成することを特徴とする液晶表示装置の駆動方法。
【請求項１３】
複数の画素ＴＦＴを含むアクティブマトリクス回路と、前記アクティブマトリクス回路を制御するソースドライバ及びゲートドライバと、液晶と、ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、前記第２のデジタルビデオデータをアナログビデオデータに変換する回路とを有し、
前記ソースドライバは前記アナログビデオデータを前記アクティブマトリクス回路に供給し、
前記アクティブマトリクス回路は、前記アナログビデオデータに基づき、２(m-n)個のサブフレームによって１フレームの画像を形成することを特徴とする液晶表示装置の駆動方法。
【請求項１４】
複数の画素ＴＦＴと画素電極を含むアクティブマトリクス回路と、前記アクティブマトリクス回路を制御するソースドライバ及びゲートドライバと、液晶と、ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、前記第２のデジタルビデオデータをアナログビデオデータに変換する回路と、対向電極の電位を制御する対向電極駆動回路とを有し、
前記ソースドライバは前記アナログビデオデータを前記アクティブマトリクス回路に供給し、
前記アクティブマトリクス回路は、前記アナログビデオデータに基づき、２(m-n)個のサブフレームによって１フレームの画像を形成し、
前記複数のサブフレームのうち少なくとも１つが開始するときに、前記ソースドライバは前記画素電極に電圧を印加し、前記対向電極駆動回路は前記対向電極に電圧を印加して、前記液晶をベンド配向にすることを特徴とする液晶表示装置の駆動方法。
【請求項１５】
複数の画素ＴＦＴと画素電極を含むアクティブマトリクス回路と、前記アクティブマトリクス回路を制御するソースドライバ及びゲートドライバと、液晶と、ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、前記第２のデジタルビデオデータをアナログビデオデータに変換する回路と、対向電極の電位を制御する対向電極駆動回路とを有し、
前記ソースドライバは前記アナログビデオデータを前記アクティブマトリクス回路に供給し、
前記アクティブマトリクス回路は、前記アナログビデオデータに基づき、２(m-n)個のサブフレームによって１フレームの画像を形成し、
前記複数のサブフレームのうち少なくとも１つが開始するときに、前記ソースドライバは前記画素電極に電圧を印加し、前記対向電極駆動回路は前記対向電極に電圧を印加して、前記液晶をベンド配向にし、
前記複数のサブフレームが開始する毎に、前記液晶に印加する電界の向きを反転させることを特徴とする液晶表示装置の駆動方法。
【請求項１６】
複数の画素ＴＦＴと画素電極を含むアクティブマトリクス回路と、前記アクティブマトリクス回路を制御するソースドライバ及びゲートドライバと、液晶と、ｍビットの第１のデジタルビデオデータのうち、ｎビットのデジタルビデオデータを電圧階調で階調表示し、（ｍ−ｎ）ビットのデジタルビデオデータを時間階調で階調表示するための第２のデジタルビデオデータに変換する回路（ｍ、ｎは共に２以上の正数、ｍ＞ｎ）と、前記第２のデジタルビデオデータをアナログビデオデータに変換する回路と、対向電極の電位を制御する対向電極駆動回路と、バックライトとを有し、
前記ソースドライバは前記アナログビデオデータを前記アクティブマトリクス回路に供給し、
前記アクティブマトリクス回路は、前記アナログビデオデータに基づき、２(m-n)個のサブフレームによって１フレームの画像を形成し、
前記複数のサブフレームのうち少なくとも１つが開始するときに、前記ソースドライバは前記画素電極に電圧を印加し、前記対向電極駆動回路は前記対向電極に電圧を印加して、前記液晶をベンド配向にし、
前記複数のサブフレームが開始する毎に、前記液晶に印加する電界の向きを反転させ、
前記バックライトにＬＥＤを用いて、フィールドシーケンシャル駆動を行うことを特徴とする液晶表示装置の駆動方法。